(57)【要約】【課題】ペットにストレスを与えることなく、耐久性があり反復利用ができ、動物病院の獣医および医療従事者の操作が簡単なペットの体位固定パッドを提供する。【解決手段】給脱気部を具備する気体非透過性袋体２の内部にクッション体３が内蔵され、このクッション体は、閉じられた周辺部を有する、織物または編物で作られた布地からなる気体透過性袋体であり、該袋体の布地同士が連結部により連結されて２つの主平面を有するキルティング状袋体であり、該袋体の内部に発泡ビーズが充填され、ペットの体位の位置を確定後、気体非透過性袋体内の空気を脱気することにより、クッション体と気体非透過性袋体とが密着するとともに、発泡ビーズがクッション体の内部で固定することにより、ペットの体の全部または一部が固定される。【選択図】図１
2017176127.tif 000002
【特許請求の範囲】
【請求項１】
給脱気部を具備する気体非透過性袋体の内部に、クッション体が内蔵されたペットの体位固定パッドであって、
前記クッション体は、全周囲が閉じられた周辺部を有する、織物または編物で作られた布地からなる気体透過性袋体の内部に発泡ビーズが充填され、該袋体の２つの主平面を構成する２枚の布地同士が連結部により連結されたキルティング状袋体であり、
前記クッション体は、前記気体非透過性袋体内部において、前記主平面が平坦性を保ちながら変形することができ、
脱気前の体位固定パッドを用いてペットの体位の位置を確定後、前記気体非透過性袋体内の空気を脱気することにより、前記クッション体と前記気体非透過性袋体とが密着するとともに、前記発泡ビーズが前記クッション体の内部で固定することにより、ペットの体の全部または一部が固定されることを特徴とするペットの体位固定パッド。
【請求項２】
複数個の前記気体非透過性袋体の外周縁が相互に結合されていることを特徴とする請求項１記載のペットの体位固定パッド。
【請求項３】
前記連結部が前記２つの主平面に、所定の繰り返しを有する島状に複数個存在する連結部であることを特徴とする請求項１または請求項２記載のペットの体位固定パッド。
【請求項４】
前記連結部が前記２つの主平面の表面において相互に交差することなく、周辺部の辺の方向に平行に線状に複数個存在する連結部であることを特徴とする請求項１または請求項２記載のペットの体位固定パッド。
【請求項５】
前記連結部および前記袋体の周辺部が前記２つの主平面を構成する布地同士の縫い合わせ、または前記２つの主平面を構成する布地同士の同時縫製により一体化されていることを特徴とする請求項１から請求項４のいずれか１項記載のペットの体位固定パッド。
【請求項６】
前記発泡ビーズがポリオレフィン系複合樹脂発泡体粒子であることを特徴とする請求項１から請求項５のいずれか１項記載のペットの体位固定パッド。
【請求項７】
前記発泡ビーズの表面が滑性処理されていることを特徴とする請求項６記載のペットの体位固定パッド。
【発明の詳細な説明】
【技術分野】
【０００１】
本発明はペットの体位固定パッドに関し、特に動物病院におけるペットの施術用体位固定パッドに関する。
【背景技術】
【０００２】
犬や猫などのペットが家族の一員となるに従い、動物病院において不妊去勢手術、膀胱・胃腸管等の切開および吻合手術、各種骨折や椎間板ヘルニア手術、門脈シャント手術、各種腫瘍切除手術、ＣＴスキャン等がなされている。ペットの手術は、麻酔を併用する場合が多く、その場合、ペットの手術時の体位を固定させる体位固定パッドが重要となる。また、麻酔を使用しない手術においても、ペットにストレスを与えることなく施術するための体位固定パッドが重要となる。
【０００３】
このような体位固定パッドは、（１）ペットの体位固定準備に要する時間が短く、検査中におけるペットの体位固定が容易であることなど、ペットにストレスを与えないこと、（２）耐久性があり反復利用ができること、（３）動物病院の獣医および医療従事者の操作が簡単であること等が要求されている。
【０００４】
人間の医療用体位固定パッドとして、ＲＦコイルから被検体に向けて高周波パルスを印加し、収集されたＮＭＲ信号を再構成して磁気共鳴画像を得るＭＲＩ装置に用いる磁場歪除去具であって、この磁場歪除去具は、ガスバリア性を有し空気を内包する袋体の内部に、鉄あるいはコバルト系の材料を溶解した水溶性溶液と、該水溶性溶液を袋体の内部で均一に分散分布させるための粒状体であり、この粒状体が粒径０．３ｍｍ〜２ｍｍの中実体または中空体からなる発泡樹脂であり、この粒状体を内蔵したクッション体であることを特徴とするＭＲＩ装置の磁場歪除去クッションが知られている（特許文献１）。
【０００５】
しかしながら、この医療用体位固定パッドは１つの袋体の内部に発泡樹脂の粒状体が封入されているので、患者の体重が袋体に印加されると、袋体内部の粒状体が袋体内部で体重が印加されない方向に移動し粒状体に偏りが生じる。そのため、一番体重がかかる部位をサポートする場所に必要量の粒状体が存在しなくなり、患者の身体に「底着き感」と「硬さ」が伝わりやすくなる。また、これら「底着き感」や「硬さ」を修正して患者の体位を固定するための準備に要する時間が長くなるという問題がある。これらの問題により患者にとって優しい体位固定パッドではなくなり、また、測定前の準備時間が長くなり、医療機器類の実働時間が短くなるという問題がある。この人間の医療用体位固定パッドをペット用に転用しても「底着き感」や「硬さ」が伝わりペットにストレスを与えることになる。
【０００６】
一方、島状に複数個点在する連結部と、閉じられた周辺部とにより、２枚の布地が袋状となり、該袋状の内部に平均粒径が０．１〜１．０ｍｍの発泡ビーズを充填してなり、連結部および周辺部が２枚の布地の縫い合わせ、または２枚の布地の同時織りにより一体化されていることを特徴とする発泡ビーズ充填用品が知られている（特許文献２）。
【先行技術文献】
【特許文献】
【０００７】
【特許文献１】特許第５２１２０２６号公報
【特許文献２】特許第５１８４７９６号公報
【発明の概要】
【発明が解決しようとする課題】
【０００８】
本発明は、動物病院におけるペットの医療用体位固定パッドとして、（１）ペットの体位固定準備に要する時間が短く、検査中におけるペットの体位固定が容易であることなど、ペットにストレスを与えないこと、（２）耐久性があり反復利用ができること、（３）動物病院の獣医および医療従事者の操作が簡単であること等が可能となるペットの体位固定パッドの提供を目的とする。
【課題を解決するための手段】
【０００９】
本発明のペットの体位固定パッドは、給脱気部を具備する気体非透過性袋体の内部に、クッション体が内蔵されている。このクッション体は、全周囲が閉じられた周辺部を有する、織物または編物で作られた布地からなる気体透過性袋体の内部に発泡ビーズが充填され、該袋体の２つの主平面を構成する２枚の布地同士が連結部により連結されたキルティング状袋体である。また、このクッション体は、上記２つの主平面が平坦性を保ちながら変形することができる。本発明のペットの体位固定パッドは、脱気前の体位固定パッドを用いてペットの体位の位置を確定後、上記気体非透過性袋体内の空気を脱気することにより、上記クッション体と上記気体非透過性袋体とが密着するとともに、上記発泡ビーズが上記クッション体の内部で固定することにより、ペットの体の全部または一部が固定されることを特徴とする。
【００１０】
本発明のペットの体位固定パッドは、複数個の上記気体非透過性袋体の外周縁が結合されていることを特徴とする。
また、上記クッション体の２つの主平面を構成する２枚の布地同士を連結する連結部は、島状に複数個存在する連結部であるか、または、２つの主平面の表面において相互に交差することなく、周辺部の辺の方向に平行に線状に複数個存在する連結部であることを特徴とする。
【００１１】
上記クッション体の連結部および上記袋体の周辺部が上記２つの主平面を構成する布地同士の縫い合わせ、または上記２つの主平面を構成する布地同士の同時縫製により一体化されていることを特徴とする。また、充填される発泡ビーズがポリオレフィン系複合樹脂発泡体粒子であることを特徴とする。特に上記発泡ビーズの表面が滑性処理されていることを特徴とする。
【発明の効果】
【００１２】
本発明のペットの体位固定パッドは、ビーズが充填された連結部を有する気体透過性袋体を内蔵する気体非透過性袋体であるので、充填された発泡ビーズが外皮となる気体非透過性袋体内で自由に移動することがない。そのため、動物病院におけるペットの体位固定パッドとして使用前および使用中でもペットに対して「底着き感」や「硬さ」が伝わらない。また、体位固定パッド使用に際して、事前の平滑化、ペットの体位を固定するのに時間がかからないので、医療機器をアイドリングさせたり、体位固定パッドをセットしたりする時間が短縮できる。その結果、ペットにストレス感を与えることなく施術を行なうことができる。
【図面の簡単な説明】
【００１３】
【図１】ペットの体位固定パッドの斜視図である。
【図２】異なる連結部の形状を有するクッション体の斜視図である。
【図３】発泡ビーズ充填後の状態を表すクッション体の斜視図である。
【図４】発泡ビーズの充填装置を示す図である。
【図５】発泡ビーズの充填工程を示す図である。
【図６】クッション体が内蔵されたペットの体位固定パッドを示す図である。
【図７】２ケ結合した体位固定パッドの斜視図である。
【図８】犬の施術を示す図である。
【発明を実施するための形態】
【００１４】
本発明に係るペットの体位固定パッドの一例を図１に示す。図１は、ペットの体位固定パッドの斜視図である。
体位固定パッド１は気体非透過性袋体２の内部にクッション体３（図１において破線で表示する）を内蔵している。気体非透過性袋体２の表面には、給気または脱気することにより、袋体２内部の気体量を調節するための調節バルブ４が給脱気部として設けられている。
気体非透過性袋体２はペットの体位に応じて変形する柔軟性と袋体内部の気体を気密に保持する気体非透過性である。気体非透過性袋体２の構造は、内部にクッション体３を収容できる形状であればよい。好ましくはクッション体３の形状より大きく、かつクッション体３と相似の形状をした袋体の周辺部が密閉された形状である。
【００１５】
袋体２を形成する布地としては、気体非透過性の樹脂シートであることが好ましく、樹脂シートとしては、ポリウレタン、ポリエステル、ポリ塩化ビニール、ポリアミド、ポリエチレンやポリプロピレン等のポリオレフィンが挙げられる。また、高い空気非透過性を有する、エチレン−ビニルアルコール共重合体フィルム、ポリ塩化ビニリデンフィルムの層を有する三層ラミネートフィルム、およびアルミニウム層を有するラミネートフィルムも使用することができる。
【００１６】
クッション体３は、全周囲が閉じられた周辺部を有する、織物または編物で作られた布地からなる２つの主平面３ａ、３ｂからなる気体透過性袋体の内部に発泡ビーズが充填され、２つの主平面を構成する布地同士が連結部３ｃにより連結されている。２つの主平面３ａ、３ｂは閉じられた周辺部３ｄにより袋状となっている。なお、袋状とすることができれば、周辺部３ｄは必ずしも必要ではなく、所定の厚みを持ったキルティング状の形態であれば使用できる。
【００１７】
連結部３ｃは、２つの主平面３ａ、３ｂの表面に島状に複数個存在している。この連結部３ｃは、内部に充填される発泡ビーズの移動を防ぐことができる間隔であればよく、また、隣り合う連結部同士は、後述する金属パイプの外径を超える間隔でそれぞれ配置される。島状に存在する連結部３ｃは、所定の繰り返しを有する幾何学模様を有して配置することが好ましい。この配置とすることにより、金属パイプを用いる発泡ビーズの充填がより容易になる。
個々の連結部３ｃ自体の大きさ、配置の間隔は、クッション体３の用途および機能に応じて定めることができる。
【００１８】
他のクッション体の例を図２および図３に示す。図２は異なる連結部の形状を有するクッション体の斜視図であり、発泡ビーズ充填前の状態を表す。図３は発泡ビーズ充填後の状態を表すクッション体の斜視図である。
クッション体３’は、連結部３'ｃが２つの主平面３'ａ、３'ｂ表面において、周辺部３'ｄの辺の方向に平行に相互に交差することなく線状に複数個存在している。連結部をこのように配置することで、金属パイプを用いる発泡ビーズの充填がより容易になる。また、体位固定パッドが折れ曲がりやすい連結部３'ｃで断面山形に変形しやすくなるので、犬や猫など、特に四つ足のペットが跨りやすくなる。そのためこれらペットの体位を固定するのに好適である。
【００１９】
クッション体の周辺部３ｄ、３'ｄは、クッション体を使用時に、充填された発泡ビーズが散逸しない程度に閉じられていればよい。周辺部３ｄは２つの主平面３ａ、３ｂを、周辺部３'ｄは２つの主平面３'ａ、３'ｂを、それぞれ連結すると共に、別布による縁取りにより補強されることが好ましい。縁取りを設けることにより、布のほつれなどを防ぐことができる。
【００２０】
図３は発泡ビーズを充填した後に周辺部を閉じた状態を表すクッション体３’であり、例えば、犬、猫用のペットの体位固定パッドとしては、連結部３'ｃ方向の長さが約８００ｍｍ、幅が約５２０ｍｍ程度の大きさであり、この大きさのクッション体３’に対して約５００〜５３０ｇの発泡ビーズを充填することが好ましい。
【００２１】
クッション体３、３’は、気体非透過性袋体２内部において、気体非透過性袋体２に固定されることなく内蔵されていることが好ましい。また、キルティング状袋体であるので、２つの主平面が平坦性を保ちながら変形することができる。
【００２２】
２つの主平面は、編織布がキルティング状の袋体となり、クッション体の外皮を形成する。通常単層編織布で形成されるが、必要に応じて複層とすることができる。編物で袋体を作る場合、丸編み機により表裏２枚の編地を同時に編成して袋体とすることができる。
編織布の織り方としては、特に制限がなく、平織、綾織等公知の織り方であればよい。本発明においては、発泡ビーズが散逸しない程度の織り目が必須であるが、また、後述する発泡ビーズ充填時に圧縮気体が通過できる空気透過性を有することが好ましい。
また、ポリウレタン弾性糸を使用するなどして、編織布全体として弾性回復性のある伸縮性布地であることが好ましい。
【００２３】
２つの主平面を構成する２枚の布地は、周辺部および連結部で相互に連結されるが、連結方法としては、２枚の布地の縫い合わせ、または２枚の布地の同時編みにより一体化される。縫い合わせは２枚の布地を重ねて縫製することにより形成されるものであり、同時編みは布地形成時に連結部等を形成する方法である。
【００２４】
クッション体に充填される発泡ビーズの材質としては、発泡できる熱可塑性樹脂であることが好ましい。熱可塑性樹脂には、ポリスチレン系樹脂、ポリプロピレン系樹脂やポリエチレン系樹脂などのポリオレフィン系樹脂、ポリエチレンテレフタレート、ポリブチレンテレフタレート、ポリエチレンナフタレート、またはポリ乳酸などのポリエステル系樹脂、ポリカーボネート系樹脂などが挙げられ、単一の樹脂や複数の樹脂を複合したもの、たとえばポリスチレン系樹脂とポリオレフィン系樹脂との複合樹脂などを使用できる。
【００２５】
クッション体に充填される発泡ビーズは、平均粒径が０．１〜４．０ｍｍ、好ましくは１．５〜３．５ｍｍの球状の発泡ビーズである。また、発泡倍率は３０〜９０倍、好ましくは５０〜９０倍である。平均粒径が０．１ｍｍ未満であると布地から散逸しやすくなり、４．０ｍｍを超えるとキルティング状製品としての風合いに劣る。
【００２６】
発泡ビーズの表面は滑性処理されていることが好ましい。滑性処理することにより、クッション体に充填され発泡ビーズの流動性が改善され、体位固定パッドとして使用したときにシットリ感を持たせることができる。滑性処理の方法としては、粘性の高い液体、固体潤滑剤等を発泡ビーズ表面に塗布する方法が挙げられる。粘性の高い液体を塗布する方法が作業上好ましい。粘性の高い液体としては、グリセリン、ポリブテン、ポリエチレングリコール、流動パラフィン、シリコンオイル等が挙げられる。固体潤滑剤としてはグラファイト粉末、フッ素樹脂粉末等が挙げられる。これらの中でグリセリンが作業上好ましい。また、発泡ビーズには、必要に応じて香料、マイナスイオン発生剤、遠赤外粉末等を配合することができる。
【００２７】
発泡ビーズの充填比率は、クッション体の用途および機能、連結部の大きさおよび数、布地の材質等により定められる。
本発明に使用できるクッション体は、ペットの種類、体位固定パッドの用途に応じて充填比率を定めることが好ましい。
【００２８】
クッション体に発泡ビーズを充填する方法について、図４および図５により説明する。図４は充填装置であり、図５は充填工程を示す図である。
充填装置５は、発泡ビーズを貯蔵するホッパー６と、このホッパー６から供給される発泡ビーズの供給量を調整する供給弁６ａと、発泡ビーズを移送するための圧縮気体供給管７とその供給量を調整する供給弁７ａと、移送される発泡ビーズを袋状体に充填するための導電性金属製パイプ９に連結する弾性ホース８と、供給弁６ａおよび７ａを制御する制御装置１０とから構成されている。導電性金属製パイプ９を含めて充填装置全体がアース１１により電気的に接地されている。そのため、導電性金属製パイプ９内での内面接触による発泡ビーズの帯電を防ぐことができる。
【００２９】
図５（ａ）に示すように、クッション体の内部に発泡ビーズを充填する前の布製袋体３０には、発泡ビーズ充填口３１が布製袋体の一部に設けられている。この発泡ビーズ充填口３１より金属製パイプ９を布製袋体３０内部に挿入する。
発泡ビーズ充填に用いられる金属製パイプ９は円筒形であることが好ましい。またその外径は、布製袋体３０に形成されている連結部の最短の隣同士を通過挿入できる径以下に設定される。また、上記径以下であれば、布製袋体３０の容量の大きさ、形状に応じて金属製パイプ９の外径を変化させることができる。金属製パイプ９の形状は直線状であることが好ましいが、布製袋体３０の形状に応じて曲線とすることができる。
金属製パイプ９の材質は導電性であればよく、特に発泡ビーズの帯電を防ぐことができる銅または銅合金製パイプであることが好ましい。
【００３０】
布製袋体３０内部に挿入された金属製パイプ９は、図５（ｂ）に示すように、その先端部を布製袋体３０の最深部３２に到達させる。発泡ビーズを充填する前の布製袋体３０は任意の形態に変化できるので、金属製パイプ９が直線状であっても容易に最深部３２に到達させることができる。
その後に、制御装置１０により制御される供給弁６ａおよび７ａを調整することで、発泡ビーズを布製袋体３０の最深部３２より、順次発泡ビーズ充填口３１側に引き抜きながら、図５（ｂ）から図５（ｄ）に示すように、発泡ビーズ３３を充填する。発泡ビーズ３３の充填により、布製袋体３０は所定の厚みを有するキルティング状となる。
【００３１】
供給弁６ａを開放した状態で、圧縮空気供給弁７ａを開放して圧縮空気を金属製パイプ９側に供給すると、ホッパー６側が減圧状態となり、発泡ビーズ３３は、圧縮空気と共に布製袋体３０に供給・充填される。圧縮空気は布製袋体３０の編織布より容易に放散される。
【００３２】
発泡ビーズ３３の充填が終了した後に、図５（ｅ）に示すように、発泡ビーズ充填口３１を縫い合わせる。
その後、縫い合わされた発泡ビーズ充填口３１を袋状体内部に折り返し、図５（ｆ）に示すように、周辺部３ｄに沿って縫い合わせ、その後縁取りすることにより、体位固定パッド内に内蔵されるクッション体が完成する。クッション体は、発泡ビーズ充填口を充填した後に縫製により封止するので、発泡ビーズを散逸することなく封止できる。
【００３３】
図１に示すように、発泡ビーズが充填されたクッション体３を気体非透過性袋体２内に挿入して、その後、気体非透過性袋体２を密閉することにより体位固定パッド１が得られる。気体非透過性袋体２の密閉方法としては、溶着、接着等の方法を用いることができる。気体非透過性袋体２の適宜な場所に袋体の内部と外部を貫通する調節バルブ４が設けられている。この調節バルブ４は逆止空気弁を用いることが好ましい。なお、逆止空気弁を設けない構造とすることも可能である。
【００３４】
クッション体が内蔵された体位固定パッドを図６に示す。図６（ａ）は脱気前の状態を、図６（ｂ）は脱気後の状態をそれぞれ示す図である。また、図６（ｃ）はＡ−Ａ断面図を、図６（ｄ）はＢ−Ｂ断面図を、図６（ｅ）は緩衝材を設けた例の断面図をそれぞれ示す図である。
発泡ビーズ３３を気体透過性袋体に収納しているキルティング状のクッション体３が気体非透過性袋体２に内蔵されている体位固定パッド１は、脱気前においても全体として平坦でありペットの体位を固定するのに時間がかからない。また、脱気前は発泡ビーズ３３がクッション体３の内部を自由に移動できるとともに、気体非透過性袋体２とクッション体３とも柔軟性を有するので、ペットの体位に応じて平坦性を保ちながら変形することが可能である（図６（ａ）および（ｃ））。
ペットの体位の位置確定完了後、調節バルブ４を開いて真空ポンプなどにより気体非透過性袋体２内の空気を脱気すると、気体非透過性袋体２とクッション体３とが密着するとともに、発泡ビーズ３３がクッション体３の内部で固定されるので、ペットの体位が固定される（図６（ｂ）および（ｄ））。特に本発明においては、内蔵しているキルティング状のクッション体３により規則的な起伏を有する平坦性を保持できるので、ペットまたはペットの一部位を固定する場合でも、ペットに対して「底着き感」や「硬さ」が伝わらないので、ペットにストレスを与えない。さらに「底着き感」や「硬さ」を改善するために、クッション体３と気体非透過性袋体２との間に発泡ウレタンシートなどの緩衝材４０を配置することができる（図６（ｅ））。
【００３５】
体位固定パッドは、複数個の気体非透過性袋体の外周縁が結合されていてもよい。そのような体位固定パッドの一例を図７に示す。図７は２ケ結合した体位固定パッドの斜視図である。体位固定パッド１は、体位固定パッド１ａおよび体位固定パッド１ｂの結合体である。この結合体は両者の気体非透過性袋体２ａおよび２ｂの外周縁の１つの辺２ｃ同士を結合している。このように、複数個の気体非透過性袋体の外周縁が結合することにより、体位固定パッド１ａおよび１ｂの給脱気状態をそれぞれ独立させることができる。その結果、一方を柔らかく、他方を硬くすることができ、ペットの状態に応じて体位を任意に固定できる。図７は２ケ結合した例を示したが、例えば、図２に示すクッション体３’を内蔵する体位固定パッドを連結部３'ｃが平行となるように３個結合することにより、中央部分を柔らかく、両サイドを硬くできるペットの体位固定パッドとすることができる。
【００３６】
図８は、本発明の体位固定パッドを用いた犬の施術を示す図である。図８（ａ）はペットの体位を施術の状態に合わせて体位固定パッドを固定した斜視図であり、図８（ｂ）は犬の施術を示す図である。
施術時のペットの体位に応じて本発明の体位固定パッド１を未脱気の状態にて形状を定めた後、脱気することにより、その形状を固定する（図８（ａ））。従来、この形を維持できる固定具はなく、タオルなどを使用して数十分かけてペットを安定させていたが、本発明の体位固定パッド１は数秒で形状保持ができるようになった。その後、形状が固定された体位固定パッド上にペットを乗せて容易に各種の施術を行なうことができる（図８（ｂ））。なお、ペットの種類、大きさに応じて円筒型の陰圧台を設けることができる。ここで、陰圧とは、医学用語で、減圧することであり、陰圧台とは発泡ビーズが充填されているクッション体内部を減圧することで、パッドの形状を固定するための台をいう。
【００３７】
本発明のペットの体位固定パッドは、主として動物病院等においてペットの施術等に用いられるクッションであるが、これに限定されるものではなく、様々な用途に使用することができる、例えば、ペットの室内敷物、搬送用マット等に用いることができる。
【産業上の利用可能性】
【００３８】
本発明のペットの体位固定パッドは、ペットにストレス感を与えることなく施術を行なうことができるので、広く動物病院で利用できる。
【符号の説明】
【００３９】
１  体位固定パッド
２  気体非透過性袋体
３  クッション体
４  調節バルブ
５  充填装置
６  ホッパー
７  圧縮気体供給管
８  弾性ホース
９  金属製パイプ
１０  制御装置
１１  アース
３０  布製袋体
３１  発泡ビーズ充填口
３２  布製袋体の最深部
３３  発泡ビーズ
４０  緩衝材
【図１】
2017176127.tif 000003
【図２】
2017176127.tif 000004
【図３】
2017176127.tif 000005
【図４】
2017176127.tif 000006
【図５】
2017176127.tif 000007
【図６】
2017176127.tif 000008
【図７】
2017176127.tif 000009
【図８】
2017176127.tif 000010